(57)【要約】【課題】竪樋を上下に接続する雨樋継手から取水した雨水を、雨水取出筒から取り出すとき、この雨水取出筒に蛇口体とホースとを選択的に装着できるようにした雨水取出装置を提供する。【解決手段】本願発明は上下の竪樋７を接続する雨樋継手１であって竪樋７内の雨水を取水するとともに、取水した雨水を雨樋継手１の外側面下方に突出形成した雨水取出筒２から取り出すようにし、蛇口体３の接続筒３１と蛇口筒３２とが略直交状態で連通した蛇口体３の該接続筒３１を上記雨樋継手１の雨水取出筒２に着脱自在に連結可能とし、且つ、該取水した雨水を貯水槽５へ送水するためのホース４の接続端部を上記雨水取出筒２に着脱自在に連結可能とし、該蛇口体３とホース４とを雨水取出筒２に選択的に連結したことを特徴とするものである。【選択図】図３
2009102866.tif 000002
【特許請求の範囲】
【請求項１】
上下の竪樋を接続する雨樋継手であって竪樋内の雨水を取水するとともに、取水した雨水を雨樋継手の外側面下方に突出形成した雨水取出筒から取り出すようにし、接続筒と蛇口筒とが略直交状態で連通した蛇口体の該接続筒を上記雨水取出筒に着脱自在に連結可能とし、且つ、該取水した雨水を貯水槽へ送水するためのホースの接続端部を上記雨水取出筒に着脱自在に連結可能とし、該蛇口体とホースとを雨水取出筒に選択的に連結したことを特徴とする雨水取出装置。
【請求項２】
上記蛇口体を雨水取出筒に回動自在に連結したことを特徴とする請求項１記載の雨水取出装置。
【請求項３】
上記蛇口体の蛇口筒が水平方向に長いことを特長とする請求項２記載の雨水取出装置。
【発明の詳細な説明】
【技術分野】
【０００１】
本願発明は、雨樋を伝って流下する雨水を途中で雨樋外部に取り出して利用できる雨水取出装置に関するものである。
【背景技術】
【０００２】
本願図１に示すように、家屋の屋根縁に取り付けられた雨樋の半円弧状の樋部６に集められた雨水は、樋部６から垂直方向に沿って設けられた排水管いわゆる竪樋７を通って下水等に排出される。一般には、庭の植木や草花などに散水する場合、あるいは洗車用の水などは飲料用の水道水などが用いられており、水道水の浪費につながり、水資源の確保の点からも好ましいものではなかった。このような用途には雨水でも利用できるものであった。
【０００３】
このように雨水を取水する手段として竪樋７を直接貯水槽５に差し込んで集める方法が主流であり貯水するための貯水槽５の容量も１００リットルないし２００リットルといった大きなものであった。これは建物の竪樋７から流下してくる雨水を、地上に設置した貯水槽５に導いて貯水し、あるいは大型の貯水槽５の場合は地下に埋設した貯水槽５に雨水を導いて貯水する方式のものであった。
【０００４】
貯水した雨水の利用に際しては、貯水槽５の下部に蛇口などを設け、そこから必要量の雨水を取り出すものであり、地下に埋設した貯水槽５からはモーターなどにより汲み上げて利用することになる。
【０００５】
しかしこのような大型の貯水槽５を設置することが困難な一般の住宅では、簡単に雨水の利用が図れる雨水取出装置が要望されており、又、一般家庭で利用するにはコストも安価なものが求められている。そのため各種の雨水取出装置が提案されている。
【０００６】
特開２００１−１９３２３６号公報に示されている雨水貯留用継手は、外筒部と内筒部とからなり、上端部および下端部に竪樋接続部が設けられ、外筒部の上端が水上の竪樋に、内筒部の下端が水下の竪樋にそれぞれ連通するように構成されており外筒部と内筒部との間隙部に浸透部材が詰め込まれて雨水取り出し部と連結するように形成されている。
【０００７】
浸透部材としては雨水を浸透するものであればよく合成樹脂製の連続発泡体や織布、砂等が用いられている。この場合ゴミや枯葉が混ざった雨水を取水部で一旦溜めることが出来、雨水中のゴミや枯葉が流れることがないので好ましいものであるが、浸透部材に残るゴミや枯葉を取り除く必要がある。
【０００８】
特開２０００−７３４１４号公報には上端に竪樋の接続部を有する筒体の内部に、この筒体よりも小径の受水容器を設け下方の竪樋の上端開口に上面が傾斜したゴミよけフィルターを取付けるとともに、この受水容器の下部に雨水貯水槽への送水管を接続してなる雨水貯溜槽用取水装置である。しかしこの装置も定期的にフィルターのゴミ等を取り除く必要があり、メンテナンスが大変なものである。
【０００９】
特開２０００−３０３５０６号公報には雨水の排水経路に、雨水の一部を取水する取水機構を設けるとともに、該取水機構は取水パイプを介して貯水槽に接続した雨水取水装置が示されている。
【特許文献１】特開２００１−１９３２３６号公報
【特許文献２】特開２０００−７３４１４号公報
【特許文献３】特開２０００−３０３５０６号公報
【発明の開示】
【発明が解決しようとする課題】
【００１０】
しかしながら、上記従来例であるこれらの取水装置はいずれも竪樋から貯水槽に送水するものであり、本願の発明はこれらの装置と異なり雨水取出装置の近傍の使用と雨水取出装置から離れた貯水槽への送水を一つの雨水取出装置で兼用できるものである。
【００１１】
本願発明は、上記背景技術に鑑みてなしたものであり、その目的は、竪樋７から取水した雨水を、蛇口体３を用いて雨樋継手１の雨水取出筒２に連結可能とし、あるいは取水した雨水を貯水槽５に送水するためのホース４を雨樋継手１の雨水取出筒２に選択的に連結できる雨水取出装置を提供することである。
【課題を解決するための手段】
【００１２】
上記課題を解決するために、本願請求項１記載の発明に係る雨水取出装置は、上下の竪樋を接続する雨樋継手であって竪樋内の雨水を取水するとともに、取水した雨水を雨樋継手の外側面下方に突出形成した雨水取出筒から取り出すようにし、接続筒と蛇口筒とが略直交状態で連通した蛇口体の該接続筒を上記雨水取出筒に着脱自在に連結可能とし、且つ、該取水した雨水を貯水槽へ送水するためのホースの接続端部を上記雨水取出筒に着脱自在に連結可能とし、該蛇口体とホースとを雨水取出筒に選択的に連結したことを特徴としている。
【００１３】
本願請求項２記載の発明は、上記蛇口体を雨水取出筒に回動自在に連結したことを特徴としている。
【００１４】
本願請求項３記載の発明は、上記蛇口体の蛇口筒が水平方向に長いことを特長としている。
【発明の効果】
【００１５】
本願請求項１記載の発明に係る雨水取出装置においては、上下の竪樋を接続する雨樋継手であって竪樋内の雨水を取水するとともに、取水した雨水を雨樋継手の外側面下方に突出形成した雨水取出筒から取り出すようにし、接続筒と蛇口筒とが略直交状態で連通した蛇口体の該接続筒を上記雨水取出筒に着脱自在に連結可能とし、且つ、該取水した雨水を貯水槽へ送水するためのホースの接続端部を上記雨水取出筒に着脱自在に連結可能としたもので、該蛇口体とホースとを雨水取出筒に選択的に連結できるものであり、雨水取出装置の近傍での雨水の使用と雨水取出装置から離れた貯水槽への送水を一つの雨水取出筒で兼用できる。
【００１６】
すなわち蛇口体の下方にバケツ等を置いて雨水を溜めることにより、該雨水取出装置近傍での水撒きや各種植物への給水が手軽に行える。したがって貯水槽から雨水をわざわざ取り出す手間が省けると同時に貯水槽に雨水が溜まる前でも使用できる。さらに蛇口体の蛇口筒から吐水される雨水がゴミや落ち葉で汚れていないかどうか直接確認でき、汚れていなければ送水ホースを接続しきれいな雨水を貯水槽に送水できる。
【００１７】
本願請求項２記載の発明に係る雨水取出装置においては、蛇口体を雨樋継手の雨水取出筒に回動自在に連結しているために、蛇口筒の吐水位置が広く出来、使い勝手がよくなる。また雨水取出筒の下方に置かれるバケツ等の設置場所の選択範囲が広がり、使い勝手がよくなる。さらに回動自在であるから、不使用時には邪魔にならない位置に回動することが出来る。
【００１８】
本願請求項３記載の発明に係る雨水取出装置においては、特に、蛇口体の蛇口筒が水平方向に長いものであり、そのために蛇口筒の吐水位置が広がり、使い勝手がよくなる。また雨水取出筒の下方に置かれるバケツ等の設置場所の選択範囲が広がり、使い勝手がよくなる。
【発明を実施するための最良の形態】
【００１９】
図１は、本願発明の雨樋継手１を上下の竪樋７、７の中間部に取り付け該雨樋継手１と貯水槽５とをホース４で連結した場合の概要図である。Ｒは家屋の屋根であり、家屋の屋根縁に取り付けられた雨樋の半円弧状の樋部（軒樋）６に集められた雨水は、樋部６から垂直方向に沿って設けられた竪樋７を通って下水等に排出される様になっている。雨樋継手１は図２に示す外形をしている。そしてホース４または蛇口体３が接続されるように雨樋継手１の外側方には雨水取出筒２が下方に突出するように形成されており、雨水取出筒２の端部はホース４あるいは蛇口体３が取付け自在にかつ簡単に抜けないようにその外面に弾性環状リブが設けられている。雨水取出筒２の端部はホース４および蛇口体３が着脱自在であればよく、必ずしも弾性環状リブである必要はない。
【００２０】
ホース４はゴム製あるいはプラスッチク製のフレキシブルなものがよく、屈曲が容易なように環状リングが所定間隔で埋め込まれたものが好ましい。
【００２１】
図３は図２におけるホース４に代えて雨水取出筒２に蛇口体３を取付けるものである。蛇口体３は蛇口筒３２の一端に雨樋継手１の雨水取出筒２と接続可能な接続筒３１が設けられており、蛇口筒３２の他端は開口されている。したがって蛇口体３の下方にバケツ等を置いて取水することができ、貯水槽５を通ることなく取水でき少量の降雨の場合でも取水可能となる。
【００２２】
また蛇口体３の蛇口筒３２から吐水される雨水がゴミ等を含んでいるか否かを確認し、ゴミ等が含まれなくなった時点で、蛇口体３に代えて貯水槽５に連結されているホース４を接続して貯水槽５に送水することができる。
【００２３】
蛇口体３の接続筒３１は雨水取出筒２と着脱自在に形成されている。蛇口体３は雨水取出筒２に回動自在に形成されており、蛇口体３の蛇口筒３２の移動範囲（回動範囲）が広くなっている。従って、蛇口体３の使い勝手がよく、蛇口体３の下方に置かれるバケツ等の設置場所の選択範囲が広くなり、さらに蛇口体３の不使用時には家屋の壁面に当接するように回動させることで、壁面から突出することがなく通行等の支障とならないものである。
【００２４】
蛇口体３の蛇口筒３２を水平方向に長くすることも、使い勝手をよくする上で効果的なものである。すなわち蛇口体３の蛇口筒３２の下方に置くバケツ等の選択範囲が広くなり使い勝手がよくなるものである。
【００２５】
図４に示すものは雨樋継手１の内部構造の一例を示すものであり、雨樋継手１の内部に集水溝８が形成されており、集水溝８の底面が雨水取出筒２に連結されているために少量の降雨の場合でも、雨水が雨水取出筒２に流れるようになっている。内部構造はこれに限定されることなく雨水取出筒２に容易に雨水が流れる機構のものであればよい。
【００２６】
以上に説明したように本願発明の雨水取出装置の最大の利点は竪樋７から直接取水できまた貯水槽5に送水することが選択的にできることであり、雨樋継手1の機構が簡単でメンテナンスをほとんど要しない。さらに少ない降雨の場合でも取水でき、効果的に雨水を利用できるものである。
【図面の簡単な説明】
【００２７】
【図１】本願発明の雨水取出装置を取り付けた家屋の概要図である。
【図２】上記雨水取出装置とホースの接続関係を示す概要図である。
【図３】上記雨水取出装置と蛇口体の接続関係を示す概要図である。
【図４】雨樋継手の内部機構の一例を示す中央断面図である。
【符号の説明】
【００２８】
１  雨樋継手
２  雨水取出筒
３  蛇口体
３１蛇口体の接続筒
３２蛇口体の蛇口筒
４  ホース
５  貯水槽
６  半円弧状の樋部
７  竪樋
８  集水溝
Ｒ  屋根
【図１】
2009102866.tif 000003
【図２】
2009102866.tif 000004
【図３】
2009102866.tif 000005
【図４】
2009102866.tif 000006